(57)【要約】【課題】引出部材の引き出し及び押し込み操作を軽快に行うことができる車両用引出装置を提供する。【解決手段】収納ケース体１０と引出部材４１との間には、引出部材４１を収納位置に係脱可能に保持する収納ロック機構２５が設けられる。収納ケース体１０と引出部材４１との間には、引出部材４１の荷重に対応する付勢力をもって引出部材４１を引出方向に付勢するバランス支持機構９０が設けられている。【選択図】図３
2007296906.tif 000002
【特許請求の範囲】
【請求項１】
収納ケース体の収納空間に引出部材が出し入れ可能に装着された車両用引出装置であって、
前記収納ケース体と前記引出部材との間には、前記引出部材を収納位置に係脱可能に保持する収納ロック機構が設けられ、
さらに、前記収納ケース体と前記引出部材との間には、前記引出部材の荷重に対応する付勢力をもって前記引出部材を引出方向に付勢するバランス支持機構が設けられていることを特徴とする車両用引出装置。
【請求項２】
請求項１に記載の車両用引出装置であって、
バランス支持機構は、付勢力が一定のコンストンスプリング機構を主体して構成されていることを特徴とする車両用引出装置。
【請求項３】
請求項１又は２に記載の車両用引出装置であって、
収納ケース体には、引出部材を収納位置と引出端位置との間の中間引出位置まで押し出す押出機構が設けられ、
前記押出機構は、前記引出部材に接離可能に係合する押出体と、この押出体を押出方向に付勢する付勢手段と、を備え、
収納ロック機構による前記引出部材の係合が外されたときには前記付勢手段の付勢力によって前記押出体と共に前記引出部材が前記中間引出位置まで押し出される構成にしてあることを特徴とする車両用引出装置。
【発明の詳細な説明】
【技術分野】
【０００１】
この発明は車両用引出装置に関する。
【背景技術】
【０００２】
車両用引出装置としては、例えば、引出式の車両用テーブル装置、引出式の車両用カップホルダ装置、カーナビゲーション用の引出式の車両用表示装置（液晶パネル）等が知られている。
このような車両用引出装置においては、収納ケース体の収納空間の出入口から引出部材（テーブル板、カップ保持体、液晶パネル等）が所定の引出端位置まで引き出されることで使用可能となり、また、引出部材を使用しないときには収納空間内に収納されるようになっているのが一般的である。
また、引出式の車両用テーブル装置としては、例えば、特許文献１に開示されたものが知られている。
【特許文献１】特開平１０−２６４７０４号公報
【発明の開示】
【発明が解決しようとする課題】
【０００３】
ところで、前記したような車両用引出装置において、例えば、収納ケース体に対し、引出部材を上方に移動して引き出し、これとは逆に下方に移動して収納する形式にした場合、引出部材を引き出すときには、引出部材の荷重に対応する操作力によって引出部材を上方に持ち上げて引き出されなければならない。これとは逆に、引出部材を収納するときには、引出部材が自重によって急激に下降したり、あるいは落下することがないように引出部材を支持しながら押し込まなければならない。このため、引出部材の引き出し及び押し込みの際に大きい操作力が必要となる。
【０００４】
この発明の目的は、前記問題点に鑑み、引出部材の引き出し及び押し込み操作を軽快に行うことができる車両用引出装置を提供することである。
【課題を解決するための手段】
【０００５】
前記目的を達成するために、この発明の請求項１に係る車両用引出装置は、収納ケース体の収納空間に引出部材が出し入れ可能に装着された車両用引出装置であって、
前記収納ケース体と前記引出部材との間には、前記引出部材を収納位置に係脱可能に保持する収納ロック機構が設けられ、
さらに、前記収納ケース体と前記引出部材との間には、前記引出部材の荷重に対応する付勢力をもって前記引出部材を引出方向に付勢するバランス支持機構が設けられていることを特徴とする。
【０００６】
前記構成によると、収納ケース体に対し引出部材を引き出す場合には、収納ロック機構による引出部材の係合が外された後、引出部材が所定の引出端位置まで引き出される。
この際、引出部材の荷重に対応する付勢力をもつバランス支持機構によって引出部材が引出方向に付勢されるため、引出部材が極めて小さい力で所定の引出端位置まで軽快に引き出される。
また、引出部材を元の収納位置に収納する場合には、前記とは逆の手順で操作することで、引出部材を元の収納位置に収納することができる。この際、引出部材の荷重がバランス支持機構によって支えられるため、例えば、引出部材が上下方向に出し入れ可能に構成さる場合においても、引出部材が自重によって急降下（落下）することなく、元の収納位置まで軽快に押し込まれて収納される。
前記したようにして、バランス支持機構によって引出部材を支持することで、引出部材の引き出し及び押し込み操作を軽快に行うことができ、操作性に優れる。
【０００７】
請求項２に係る車両用引出装置は、請求項１に記載の車両用引出装置であって、
バランス支持機構は、付勢力が一定のコンストンスプリング機構を主体して構成されていることを特徴とする。
【０００８】
前記構成によると、収納位置と引出端位置との間において、コンストンスプリング機構により一定の付勢力で引出部材を引出方向に付勢することができるため、操作性をより一層高めることができる。
【０００９】
請求項３に係る車両用引出装置は、請求項１又は２に記載の車両用引出装置であって、
収納ケース体には、引出部材を収納位置と引出端位置との間の中間引出位置まで押し出す押出機構が設けられ、
前記押出機構は、前記引出部材に接離可能に係合する押出体と、この押出体を押出方向に付勢する付勢手段と、を備え、
収納ロック機構による前記引出部材の係合が外されたときには前記付勢手段の付勢力によって前記押出体と共に前記引出部材が前記中間引出位置まで押し出される構成にしてあることを特徴とする。
【００１０】
前記構成によると、収納ケース体に対し引出部材を引き出すときには、収納ロック機構による引出部材の係合が外される。すると、押出機構の付勢手段の付勢力によって押出体と共に引出部材が中間引出位置まで押し出される。その後、引出部材が引出端位置まで引き出される。
引出部材が中間引出位置から引出端位置まで引き出される際、引出部材の荷重に対応する付勢力をもつバランス支持機構によって引出部材が引出方向に付勢されるため、引出部材が極めて小さい力で引出端位置まで軽快に引き出される。
また、引出部材を元の収納位置に収納するときには、前記とは逆の手順で操作して引出部材を中間引出位置まで押し込んだ後、押出機構の付勢手段の付勢力に抗して元の収納位置まで押し込むことによって引出部材を収納することができる。
前記したように、押出機構の付勢手段の付勢力によって押出体と共に引出部材を中間引出位置まで押し出すことで、その後、引出部材を引出端位置まで容易に引き出すことができ、操作性の向上を図ることができる。
すなわち、収納位置にある引出部材を引出端位置まで引き出すように構成すると、引出部材の操作ストロークが大きくなり、操作性が悪くなる場合があるが、引出部材を中間引出位置まで押し出すことによって、この分だけ操作ストロークを小さくすることができ、操作性に優れる。
【発明を実施するための最良の形態】
【００１１】
次に、この発明を実施するための最良の形態を実施例にしたがって説明する。
【実施例１】
【００１２】
図１はこの発明の実施例１の車両用引出装置としての車両用テーブル装置のテーブル板が収納された状態を示す斜視図である。図２は車両用テーブル装置の平断面図である。図３は図２のＩＩＩ−ＩＩＩ線に基づく車両用テーブル装置の側断面図である。図４は図２のＩＶ−ＩＶ線に基づく車両用テーブル装置の側断面図である。図５は図２のＶ−Ｖ線に基づく車両用テーブル装置の側断面図である。図６は可動カバー体の連動機構を分解して示す斜視図である。図７はテーブル板が中間引出位置まで押し出された状態を示す斜視図である。図８はテーブル板が中間引出位置まで押し出された状態を示す側断面図である。図９はテーブル板が引出端位置まで引き出された状態を示す斜視図である。図１０はテーブル板が引出端位置まで引き出された状態を示す側断面図である。図１１はテーブル板が使用状態に配置された状態を示す斜視図である。図１２はテーブル板が使用状態に配置された状態を示す側断面図である。
【００１３】
図１〜図３に示すように、車両用引出装置としての車両用テーブル装置の本体部を構成する収納ケース体１０は、例えば、車室内のフロア上面に設置され、引出部材としてのテーブル板４１を出入可能に収納するための収納空間１１が上方に開口して形成されている。この実施例において、収納ケース体１０は、ケース本体１２と支持壁２０とを主体として構成され、収納空間１１の一側壁をなすケース本体１２の壁部１３と対向する反対側に支持壁２０が固定状態で設けられている。
また、図３に示すように、収納空間１１の一側壁をなす壁部１３の上端部の高さＨ１に対し、支持壁２０の上端の高さＨ２は、約半分〜３分の１程度低く設定されている。そして、支持壁２０の外側部には、収納空間１１の一側壁をなす壁部１３と反対側の壁を支持壁２０と協働して構成する可動カバー体３０がテーブル板４１の出し入れ方向と逆方向に移動可能に装着されている。すなわち、可動カバー体３０は、支持壁２０の高さＨ２を補いかつ支持壁２０の外側を覆うようにして設けられている。
【００１４】
この実施例において、図２に示すように、支持壁２０の両端部には、可動カバー体３０に対応するカバー案内溝２１が形成され、可動カバー体３０の幅方向両端部には、カバー案内溝２１に沿ってスライド可能に挿入されるたスライド体３１が配設されている。
そして、カバー案内溝２１とスライド体３１によって、支持壁２０に対し可動カバー体３０が移動可能に装着されるようになっている。なお、支持壁２０の外側方下部には、可動カバー体３０の移動を許容する空間部を隔てて下カバー体３５が必要に応じて固定されている。
【００１５】
図２、図３及び図１２に示すように、引出部材としてのテーブル板４１は、可動支持脚５０、テーブルベース４３及びテーブルステー６０を備えたテーブル支持機構４２によって支持されかつ案内レール７１と摺動体７２とを備えた案内機構７０によって収納空間１１に出入可能に収納されている。
すなわち、この実施例において、案内機構７０の案内レール７１は、収納空間１１の一側壁をなすケース本体１２の壁部１３の幅方向中央部に上下方向に延びて設けられる一方、案内レール７１に沿って移動可能に組み付けられる摺動体７２は可動支持脚５０の下部に固定されている。
そして、可動支持脚５０は、ケース本体１２の壁部１３に案内レール７１と摺動体７２によって移動可能に支持されている。この可動支持脚５０の上端部には、連結軸５１によってテーブルベース４３がその一端部において回動可能に連結されている。
【００１６】
図１２に示すように、テーブルベース４３の一側面（使用状態では上面）にはテーブル板４１が取り付けられている。そして、テーブル板４１は、そのテーブルベース４３と共に、可動支持脚５０の上端から同一線上に延びる状態から略水平状をなす使用位置まで連結軸５１を支点として回動されるようになっている。
また、可動支持脚５０とテーブルベース４３との間には、一端部がテーブルベース４３にピン６１によって連結され、他端部がピン６２と長孔６３によって可動支持脚５０に連結されたテーブルステー６０が装着されている。そして、テーブル板４１が略水平状をなす使用位置に配置されたときには、可動支持脚５０とテーブルベース４３との間でテーブルステー６０が斜めの状態をなしてテーブル板４１を略水平状をなす使用位置に支持するようになっている。
【００１７】
また、収納ケース体１０とテーブル板４１との間には、テーブル板４１を収納位置に係脱可能に保持するための係止部材２５を有する収納ロック機構が設けられている。この実施例において、図３に示すように、収納ケース体１０のケース本体１２の上端部に装着された物品組付体１５には、テーブル板４１を収納位置に係脱可能に保持するための収納ロック機構を構成する係止部材２５が進退可能に配置されている。この係止部材２５は、テーブル板４１のテーブルベース４３の所定位置に設けられた係合部４８に係脱可能に係合する係止部２６と、この係止部２６がテーブルベース４３の係合部４８から外れる後退方向に手動操作するための操作部２７とを備えている。そして、係止部材２５は、常にはばね２８によって係止部２６がテーブルベース４３の係合部４８に係合する前進方向に付勢されている。
なお、係止部材２５の係止部２６の先端部上面とテーブルベース４３の係止部４８の下面には、相互に接触して係止部材２５をばね２８の付勢力に抗して後退させる傾斜状の案内面２６ａ、４８ａがそれぞれ形成されている。
【００１８】
図３に示すように、収納ケース体１０の支持壁２０には、テーブル板４１を可動支持脚５０と共に所定の引出位置まで押し出す押出機構８０が設けられている。
押出機構８０は、可動支持脚５０の下端部５２を接離可能に受ける受け部８２を下端部に有する四角板状の押出体８１と、この押出体８１を押出方向に付勢する付勢手段とを備えている。
【００１９】
図２に示すように、支持壁２０の両端部には、押出体８１に対応する押出体案内溝２２が形成され、押出体８１の幅方向両端部には、押出体案内溝２２に沿ってスライド可能に挿入されるスライド体８３が配設されている。
そして、押出体案内溝２２とスライド体８３によって、支持壁２０に対し押出体８１が移動可能に装着されるようになっている。
また、付勢手段としては、回転トルクが一定のコンストンスプリング８６を有するコンストンスプリング機構が用いられることが望ましい。
例えば、付勢手段として、周知のＣ型のコンストンスプリング機構が用いられる場合、図３に示すように、コンストンスプリング機構のドラム８７を支持壁２０の上部に固定し、このドラム８７に帯板状のコンストンスプリング８６を引出可能に巻回し、コンストンスプリング８６の先端部に押出体８１を連結する。
そして、収納ロック機構の係止部材２５がその操作部２７によってばね２８の付勢力に抗して後退され、係止部材２５の係止部２６がテーブルベース４３の係合部４８から外されることで、押出体８１がコンストンスプリング８６の付勢力によって上昇され、これによって、図７と図８に示すように、可動支持脚５０と共にテーブル板４１が収納位置と引出端位置との中間に位置する中間引出位置まで押し出されるようになっている。なお、押出機構８０の付勢手段としては、コンストンスプリング機構に代えてコイルスプリング等を用いることが可能である。
【００２０】
また、収納ケース体１０と引出部材としてのテーブル板４１との間には、テーブル板４１の荷重に対応する付勢力をもってテーブル板４１を引出方向に付勢するバランス支持機構９０が設けられている。
図３に示すように、バランス支持機構９０は、回転トルクが一定のコンストンスプリング機構９１を主体として構成することが望ましい。
この実施例において、２つのドラム（図３では一方のドラム９３側を示す）の間に跨ってコンストンスプリング９４が巻回された周知のＮ型のコンストンスプリング機構９１が採用されている。そして、図３に示すように、コンストンスプリング機構９１は、ブラケット９２によって収納ケース体１０のケース本体１２の下部内面に固定されている。
また、コンストンスプリング機構９１の一方のドラム９３の回転軸９５には、巻取リール９６が同軸上に設けられており、この巻取リール９６には連結ワイヤ９７が引出可能に巻回されている。
【００２１】
一方、ケース本体１２の壁部１３の上部に配設されたローラブラケット９８にはローラ９９が回転可能に組み付けられている。
そして、連結ワイヤ９７は、ローラ９９に掛け渡されると共に、端末部９７ａが可動支持脚５０の下部に連結されている。
また、コンストンスプリング９４は、テーブル板４１、テーブルベース４３及び可動支持脚５０の荷重に対応する付勢力（荷重と同等の回転トルク）をもって引出方向に付勢するように、巻取リール９６を巻き取り方向に付勢し、これによって、テーブル板４１、テーブルベース４３及び可動支持脚５０の荷重がバランスされて支えられるようになっている。
【００２２】
図２〜図６に示すように、テーブル板４１と可動カバー体３０との間には、テーブル板４１が引き出されたときに可動カバー体３０をテーブル板４１の引出方向とは逆方向に移動させて可動カバー体３０の先端高さを低くし、テーブル板４１が元の収納位置に押し込まれたときに可動カバー体３０をテーブル板４１の押込方向とは逆方向に移動させて可動カバー体３０を元の高さに戻す連動機構１００が設けられている。
この実施例において、連動機構１００は、押出体８１と、可動カバー体３０との間に配設された作動ラック１０１、ピニオン軸１０３、第１のピニオン１０４、第２のピニオン１０５及び従動ラック１０６を備えて構成されている。
【００２３】
すなわち、図２と図６に示すように、支持壁２０の中間高さ位置には、水平方向のピニオン軸１０３が軸受け１０２によって回転可能に取り付けられており、このピニオン軸１０３の中央部には、第１のピニオン１０４がトルク伝達可能に設けられ、同ピニオン軸１０３の両端部には第２のピニオン１０５がトルク伝達可能に設けられている。そして、図４と図６に示すように、押出体８１の一側面の上下方向には、第１のピニオン１０４に噛み合う作動ラック１０１が設けられる一方、可動カバー体３０の内面の幅方向両側部には、第２のピニオン１０５に噛み合う従動ラック１０６が設けられている。
また、この実施例において、テーブル板４１の引出量、すなわち、押出体８１の押出量に対する可動カバー体３０の逆方向の移動量が例えば２倍となるように、第１のピニオン１０４と第２のピニオン１０５との歯車比が１：２に設定されている。
【００２４】
この実施例に係る車両用引出装置としての車両用テーブル装置は、上述したように構成される。
したがって、引出部材としてのテーブル板４１を引き出す場合、収納ロック機構の係止部材２５がその操作部２７によってばね２８の付勢力に抗して後退され、係止部材２５の係止部２６がテーブルベース４３の係合部から外される。
すると、押出体８１がコンストンスプリング８６の付勢力によって上昇され、この押出体８１の受け部８２によって可動支持脚５０の下端部が押し上げられる。これによって、図７と図８に示すように、可動支持脚５０と共にテーブル板４１が所定位置、すなわち中間引出位置まで押し出される。
【００２５】
一方、押出体８１と一体状をなして上昇する作動ラック１０１の上昇動作によって、作動ラック１０１に噛み合う第１のピニオン１０４と共にピニオン軸１０３が回転し、このピニオン軸１０３と一体に第２のピニオン１０５が回転する。すると、第２のピニオン１０５に噛み合う従動ラック１０６と一体状をなして可動カバー体３０がテーブル板４１の引出方向と逆方向の下方に移動される。そして、可動カバー体３０が下方に移動した分だけ可動カバー体３０の先端高さが低くなる。
【００２６】
前記の状態において、図９と図１０に示すように、テーブル板４１がその一端縁に形成された取手部４１において引出端位置まで引き出される。すると、図しないロック機構によってテーブル支持脚５０が引出端位置に係脱可能にロックされる。
また、テーブル板４１が中間引出位置から引出端位置まで引き出される際に、テーブル板４１、テーブルベース４３及び可動支持脚５０の荷重に対応する付勢力（荷重と同等の回転トルク）をもって引出方向に付勢するように、コンストンスプリング９４によって巻取リール９６が巻き取り方向に付勢されるため、テーブル板４１が極めて小さい力で引出端位置まで軽快に引き出される。
そして、テーブル板４１が引出端位置まで引き出された状態において、図１１と図１２に示すように、可動支持脚５０に対しテーブルベース４３と共にテーブル板４１が連結軸５１を支点として回動されテーブル板４１が略水平状をなす使用位置に配置される。この際、可動支持脚５０とテーブルベース４３との間でテーブルステー６０が斜めの状態をなし、これによってテーブル板４１が略水平状をなす使用位置に配置保持される。
そして、使用位置に配置されたテーブル板４１の上面には所望とする物品（例えば、カップ、食器等の容器や筆記具等）が安定良く載置される。
【００２７】
前記とは逆の手順でテーブル板４１が操作され、収納空間１１に押し込まれて収納位置に配置されることで、係止部材２５の係止部２６がテーブルベース４３の係合部４８に係合し、これによってテーブル板４１、テーブルベース４３及び可動支持脚５０が元の収納位置に配置保持される。
また、テーブル板４１が引出端位置から中間引出位置まで押し込まれる際には、テーブル板４１、テーブルベース４３及び可動支持脚５０の荷重が、バランス支持機構９０を構成するコンストンスプリング機構９１によって支えられる。このため、テーブル板４１、テーブルベース４３及び可動支持脚５０が自重によって急降下（落下）することなく、中間引出位置まで軽快に押し込まれる。
【００２８】
テーブル板４１が中間引出位置から元の収納位置まで押し込まれる際には、可動支持脚５０の下端部５２に押出体８１の受け部８２に当接して押出体８１がコンストンスプリング８６の付勢力に抗して元の位置まで押し下げられる。そして、押出体８１と一体状に下降する作動ラック１０１の下降動作によって、第１のピニオン１０４、ピニオン軸１０３、第２のピニオン１０５及び従動ラック１０６を介して可動カバー体３０がテーブル板４１の押込方向とは逆方向の上方に移動され、可動カバー体３０が元の高さに戻される。このため、テーブル板４１、テーブルベース４３及び可動支持脚５０が収納空間１１内に収納される。
【００２９】
前記したように、テーブル板４１、テーブルベース４３及び可動支持脚５０の荷重に対応する付勢力をもつバランス支持機構（この実施例ではコンストンスプリング機構９１）９０によってテーブル板４１、テーブルベース４３及び可動支持脚５０が引出方向に付勢されるため、テーブル板４１、テーブルベース４３及び可動支持脚５０を極めて小さい力で引出端位置まで軽快に引き出すことができる。
また、前記とは逆に、テーブル板４１を引出端位置から中間引出位置まで押し込む際には、テーブル板４１、テーブルベース４３及び可動支持脚５０の荷重がバランス支持機構９０によって支えられる。このため、テーブル板４１、テーブルベース４３及び可動支持脚５０がそれぞれの自重によって急降下（落下）することなく、中間引出位置まで軽快に押し込まれる。
また、この実施例においては、バランス支持機構９０がコンストンスプリング機構９１を主体として構成されるため、中間引出位置と引出端位置との間において、一定の付勢力でテーブル板４１、テーブルベース４３及び可動支持脚５０を引出方向に付勢することができ、操作性をより一層高めることができる。
【００３０】
また、この実施例において、収納ケース体１０に対し、テーブル板４１を可動支持脚５０と共に中間引出位置まで押し出すための押出体８１と付勢手段（コンストンスプリング８６）とを備えた押出機構８０が設けられている。そして、収納ロック機構の係止部材２５がテーブルベース４３の係合部４８から外されることで、押出体８１がコンストンスプリング８６の付勢力によって上昇され、これによって、図７と図８に示すように、可動支持脚５０と共にテーブル板４１が中間引出位置まで押し出される。
このようにして、可動支持脚５０と共にテーブル板４１を中間引出位置まで押し出すことで、その後、可動支持脚５０と共にテーブル板４１を引出端位置まで容易に引き出すことができ、操作性の向上を図ることができる。
すなわち、収納位置にあるテーブル板４１を引出端位置まで引き出すように構成すると、テーブル板４１の操作ストロークが大きくなり、操作性が悪くなる場合があるが、可動支持脚５０と共にテーブル板４１を中間引出位置まで押し出すことによって、この分だけ操作ストロークを小さくすることができ、操作性に優れる。
【００３１】
なお、この発明は前記実施例に限定するものではない。
例えば、前記実施例においては、収納ケース体１０に対し、テーブル板４１を中間引出位置まで押し出すための押出体８１と付勢手段（コンストンスプリング８６）とを備えた押出機構８０が設けられる場合を例示したが、押出機構８０は必要に応じて設ければよく、押出機構８０が無い構造であってもこの発明を実施することができる。
また、前記実施例においては、バランス支持機構９０が、コンストンスプリング機構９１を主体として構成された場合を例示したが、コイルバネ、ゼンマイバネ等を主体として構成することも可能であり、また、錘（バランスウエート）を主体として構成することも可能である。
また、前記実施例においては、引出部材がテーブル板４１である場合を例示したが、引出部材がカップホルダ装置のホルダ部材であっても実施可能であり、また、引出部材がカーナビゲーション装置の表示器（例えば液晶パネル）であっても実施可能である。
また、引出部材が引出端位置に配置された状態が使用状態である場合においても実施可能である。
【図面の簡単な説明】
【００３２】
【図１】この発明の実施例１の車両用引出装置としての車両用テーブル装置のテーブル板が収納された状態を示す斜視図である。
【図２】同じく車両用テーブル装置の平断面図である。
【図３】同じく図２のＩＩＩ−ＩＩＩ線に基づく車両用テーブル装置の側断面図である。
【図４】同じく図２のＩＶ−ＩＶ線に基づく車両用テーブル装置の側断面図である。
【図５】同じく図２のＶ−Ｖ線に基づく車両用テーブル装置の側断面図である。
【図６】同じく可動カバー体の連動機構を分解して示す斜視図である。
【図７】同じくテーブル板が中間引出位置まで押し出された状態を示す斜視図である。
【図８】同じくテーブル板が中間引出位置まで押し出された状態を示す側断面図である。
【図９】同じくテーブル板が引出端位置まで引き出された状態を示す斜視図である。
【図１０】同じくテーブル板が引出端位置まで引き出された状態を示す側断面図である。
【図１１】同じくテーブル板が使用状態に配置された状態を示す斜視図である。
【図１２】同じくテーブル板が使用状態に配置された状態を示す側断面図である。
【符号の説明】
【００３３】
１０  収納ケース体
１１  収納空間
２５  係止部材（収納ロック機構）
４１  テーブル板（引出部材）
８０  押出機構
８１  押出体
８６  コンストンスプリング（付勢手段）
９０  バランス支持機構
９１  コンストンスプリング機構
９４  コンストンスプリング
【図１】
2007296906.tif 000003
【図２】
2007296906.tif 000004
【図３】
2007296906.tif 000005
【図４】
2007296906.tif 000006
【図５】
2007296906.tif 000007
【図６】
2007296906.tif 000008
【図７】
2007296906.tif 000009
【図８】
2007296906.tif 000010
【図９】
2007296906.tif 000011
【図１０】
2007296906.tif 000012
【図１１】
2007296906.tif 000013
【図１２】
2007296906.tif 000014